(57)【要約】【課題】パケット中継装置等の、性能等を試験する試験装置に関し、高速にパケットを中継／伝送するパット中継装置の過負荷試験を可能とする。【解決手段】高速にパケットを中継／伝送するパケット中継装置を試験する試験装置であって、試験パケットを作り出す送信パケット生成部５と、試験パケットを複数格納できる送信パケットバッファ６と、送信パケットバッファ６内の試験パケットを繰返し使用して回線に送信するパケット送信部７と、回線から受信した試験パケットを、パケット中継情報バッファ１１に格納された情報から、回線に送信するか、または試験パケットの内容を比較する受信パケット比較部８に戻すかを判定するパケット中継部１０とを備え、回線と回線上に接続される被試験装置に過負荷を発生させるものである。【選択図】  図１
2004180186.tif 000002
【特許請求の範囲】
【請求項１】
回線上にパケットを送信する手段と、回線上からパケットを受信する手段と、パケットを中継する手段とを備えたＬＡＮ／ＷＡＮ接続装置における負荷データ発生装置であって、全体の制御を行う主制御部２と、試験パケットを回線上に送信する試験パケット送信部３と、回線からの試験パケットを受信する試験パケット受信部４と、入出力情報を制御する端末装置１３とを備え、前記試験パケット送信部３は、送信パケット生成部５と送信パケットバッファ６とパケット送信部７とを含み、前記試験パケット受信部４は、受信パケット比較部８と受信パケットバッファ９とパケット中継部１０とパケット中継情報バッファ１１と受信パケット廃棄１２を含み、前記試験パケット送信部３と前記試験パケット受信部１４が送受信する試験パケットの制御を行い回線上の負荷状態を生成する事を特徴とする負荷データ発生装置。
【請求項２】
前記試験パケット送信部３は、前記送信パケット生成部５が前記送信パケットバッファ６に格納したヘッダ部とデータ部からなる試験パケットを、格納してある順に順次回線１４へ送信する手段と、前記送信パケット生成部５がヘッダ部とデータ部からなる試験パケットを生成した試験パケットを直接受取り回線１４へ送信する手段と、前記試験パケット受信部４から受取った試験パケットを回線１４へ送信する手段とを有する前記パケット送信部７を有し、回線１４と回線に接続される被試験装置１へ前記試験パケットを送信する際に、前記送信パケットバッファ６内に格納された複数の試験パケットを回線１４へ送信する手段と、前記パケット生成部５が作成した試験パケットを回線１４へ送信する手段と、前記試験パケット受信部４から受けた試験パケットを回線１４へ送信する手段とを実行する事が可能である、回線上の負荷状態を生成する事を特徴とする負荷データ発生装置。
【請求項３】
前記試験パケット送信部３にて、試験パケットを送信する際に、事前に前記送信パケット生成部５が、ヘッダ部とデータ部からなる送信パケットを複数個格納する事が可能である前記送信パケットバッファ６を有する事を特徴とする負荷データ発生装置。
【請求項４】
前記パケット送信部７は、前記送信パケット生成部５が前記送信パケットバッファ６に格納したヘッダ部とデータ部からなる試験パケットを、格納してある順に順次回線１４へ送信する手段と、前記送信パケットバッファ６内に格納してある試験パケットを繰返し回線１４へ送信し続ける手段とを選択する事が可能であり、前記の手段を選択する事で回線上の負荷状態を生成ることを特徴とする負荷データ発生装置。
【請求項５】
前記試験パケット受信部４は、受信パケット比較部８と受信パケットバッファ９とパケット中継部１０とパケット中継情報バッファ１１と受信パケット廃棄１２を含み、前記パケット中継部１０は、回線１４から受信した試験パケットを順次取り出し、前記パケット中継情報バッファ１１内に格納された試験パケットの行先情報を検索し、その情報を元に該試験パケットを、回線１４に巡回させるために当該試験装置０に搭載された前記試験パケット送信部３へ送信するか、受信した試験パケットの正常性を確認するための受信パケット比較部８へ通知し前記受信パケットバッファ９に格納するか、受信した試験パケットを試験装置０から廃棄するかの行先を判定する手段を有し、試験パケットを受信した際に受信領域に試験パケットが滞留しないよう、高速に試験パケットの行先を判定する試験パケット受信処理部４を有する事を特徴とする負荷データ発生装置。
【請求項６】
主制御部２と、試験パケット送信部３と、試験パケット受信部４と、端末装置１３からなる負荷発生装置でる試験装置０あって、前記試験パケット送信部３は、送信パケット生成部５と送信パケットバッファ６とパケット送信部７とを含み、前記試験パケット受信部４は、受信パケット比較部８と受信パケットバッファ９とパケット中継部１０とパケット中継情報バッファ１１と受信パケット廃棄１２を含み、前記試験装置０に搭載される前記主制御部２と回線で接続され、オペレータからのコマンド入力や、当該試験装置０の情報出力を行う端末装置１３があり、当該試験装置０が動作する際に、前記端末装置１３からコマンド入力により前記試験パケット送信部３を操作する手段を持ち、パケット送信部７に対し、コマンドにより、送信パケット生成部５が作成した試験データまたは、試験パケットバッファ６内に格納された試験データの、二つの送信元ソースから、どちらかのソースを選択し、選択した送信元ソースの試験データを回線１４に送信する事を特徴とする負荷データ発生装置。
【請求項７】
前記請求項６の主制御部２と、前記試験パケット送信部３と、前記試験パケット受信部４からなる負荷発生装置であって、前記試験装置０に搭載される前記主制御部２と回線で接続されオペレータからのコマンド入力や、該試験装置０の情報出力を行う端末装置１３があり、当該試験装置０が動作する際、または動作中に必要情報を前記端末装置１３からコマンドを入力し、そのコマンドにより前記パケット中継情報バッファ１１内の、試験パケット情報、試験パケット行先情報を操作する手段を持ち、受信した試験パケットの行先、対象となる試験パケット指定等を操作する事により、試験パケットを制御し、負荷制御、障害試験を可能とする事を特徴とする負荷データ発生装置。
【発明の詳細な説明】
【０００１】
【発明の属する技術分野】
本発明は、伝送路上へパケットを伝送するＬＡＮ／ＷＡＮ等のネットワークに接続して、パケット中継するネットワーク中継装置の試験装置に関する。
【０００２】
【従来の技術】
従来技術として、特許文献１（特開平７−７９２２２号公報）で示されるような、試験パケットを、負荷発生装置と回線で接続される被試験装置の間で巡回させ、回線上に負荷を発生させる方式があげられる。
【０００３】
特許文献１で示される方式の具体例は、図９に示すように、巡回する試験パケット内に格納されているデータ（主にＳＡ、ＤＡ等）を操作するものであり、試験パケット作成時にＳＡ値を期待する値から、該試験パケットを回線と被試験装置間で巡回させる回数分減算した値を設定しておき、該試験パケットが１巡回する毎に上記で設定したＳＡ値に＋１し、ＳＡ値が減算する前の値になった場合に、該試験パケットを巡回させる方向からパケット比較部へ戻すという方式である。また、操作する値はＳＡ値のみではなく、パケット内に格納されているＤＡ値や識別子等のデータを使用しても良い方式である。この工程を繰返す事により、試験パケットを回線と被試験装置間を巡回させ、負荷を発生させるものである。
【０００４】
【特許文献１】
特開平７−７９２２２号公報
【０００５】
【発明が解決しようとする課題】
前記従来技術は、各送信パケットを高速回線に送信し、回線や回線に接続されるネットワーク中継装置に対し負荷を発生させる手段であり、送信したパケットを巡回させ負荷をかける方式であって、巡回させる送信パケットを送信する毎に作成し、送信する方式であるため、大量の送信パケットを一瞬に送信する手段や、長時間継続的に回線上に送信する手段に欠けており、回線上の負荷試験を実施する事が不可能な部分があった。
【０００６】
また、１Ｇｂｐｓ、１０Ｇｂｐｓ等を超える高速回線に対しては、送信パケットの回線通過時間がより早くなるため、回線上に負荷状態を発生するには、多量の試験パケットを継続的に送信する必要性と、試験パケットの巡回回数の設定値を非常に大きな値に設定しないと、瞬時にデータの巡回が終了し、負荷状態が続かない状況になる。
【０００７】
また、回線上へ送信したデータを必ず試験装置内に存在する試験パケット比較部へ戻し、比較検査するため、高負荷発生時に起こり得る送信パケット廃棄の状態や、受信バッファが一杯になった場合のいわゆる異常系試験を実施する事が簡単には実現できないという問題があった。
【０００８】
また、回線から受信した試験パケットを回線で巡回させるためには、受信した試験パケットの特定エリアの値を検索、取得、変更、書き込みの手順で変更する事から、内容変更時に負荷発生装置内でパケットの滞留が発生し、回線上のパケット転送の負荷が低減する等の問題点がある。
【０００９】
本発明は、上記に示す従来の問題点を解決するため、負荷発生装置内の試験パケット送信部３に、送信パケットバッファ６を持たせ、送信パケット生成部５からの試験パケットを送信する手段と、送信パケットバッファ６内に格納されている試験パケットを連続送信する手段とを持たせ、また、試験パケット受信部４に、パケット中継部１０とパケット中継情報バッファ１１を持たせ、受信した試験パケットを高速に処理できる手段と、オペレータにより変更可能な、試験パケット送信部３と、パケット中継情報バッファ１１を持たせ、送受信した試験パケットの内容を変更することナシに、試験パケットの行先／データ量を変更できる手段を持たせた事により、被試験装置と同等の性能を持つ試験装置にて、高速回線の負荷試験と、特殊な負荷状態を発生させる事を可能とし、回線および通信装置の負荷試験をすることを可能とする。
【００１０】
【課題を解決するための手段】
本発明の負荷発生装置を、図１を参照して説明する。
【００１１】
ヘッダ部とデータ部を有する試験パケットを送受信する回線１４と、回線１４上に存在する中継装置の試験装置０であって、前記試験装置０内に全体の制御を行う主制御部２と、試験パケットを回線１４へ送信する試験パケット送信部３と、試験パケットを回線１４から受信する試験パケット受信部４を備え、前記試験パケット送信部３は、送信パケット生成部５と送信パケットバッファ６とパケット送信部７とから成る構成であり、前記送信パケット生成部５は、前記主制御部２からの指示に従い、ヘッダ部とデータ部を付加した試験パケットを作成し、前記送信パケットバッファ６に順次格納する手段と、作成した試験パケットを前記パケット送信部７へ直接渡す手段を有し、前記パケット送信部７は、送信パケットバッファ６内に格納されている試験パケットを、前記主制御部２の制御に従い格納されている順に回線１４へ送信する手段と、前記送信パケットバッファ６内に格納された試験パケットを繰返し回線１４へ送信し続ける手段と、前記送信パケット生成部５から直接渡された試験パケットを送信する手段と、前記試験パケット受信部４から渡された試験パケットを送信する手段とを選択し、試験パケットを回線１４上に連続して送信するものである。
【００１２】
また、回線１４から送信されてきた試験パケットを受信する前記試験パケット受信部４は、受信パケット比較部８と受信パケットバッファ９とパケット中継部１０とパケット中継情報バッファ１１と受信パケット廃棄１２とから成る構成で、前記試験パケット比較部８は、前記パケット中継部１０により前記受信パケットバッファ９内に格納された試験パケットのヘッダ部及びデータ部をチェックする手段を有し、前記パケット中継部１０は、受信した試験パケットを、前記主制御部２が前記パケット中継情報バッファ１１に設定した試験パケット行先情報を元に、再び回線へ送信するために前記パケット送信部７へ送るか、試験パケットの正常性を確認するため前記受信パケットバッファ９内に格納するか、または廃棄するために受信パケット廃棄１２へ送るかの、行先判定を実施する手段を有し、回線から受信したパケットを高速に振り分けを実施するものである。
【００１３】
また、端末装置１３からのコマンドの指示により、試験パケット送信部３および、試験パケット受信部４内の、パケット送信部７、パケット中継情報バッファ１１をそれぞれ操作し、送信元ソースの選択や、受信した試験パケットの行先を変更する事が可能とし、試験パケットの制御を実施するものである。
【００１４】
【発明の実施の形態】
本発明の負荷データ発生装置を、図面により詳述する。
【００１５】
図１〜図８は、本発明の一実施例を示した図である。本発明において、回線１４へ試験パケットを送信する手段と、回線１４からの試験パケットを受信し中継する手段とを備えたＬＡＮ／ＷＡＮ接続装置における回線負荷データ発生装置であって、回線１４へ送信する試験パケットを送信パケットバッファ６に複数生成しておき、該試験パケットを繰返し回線１４へ送信する試験パケット送信部３と、前記試験パケット送信部３により生成、送信された試験パケットを、回線１４から受信する手段と、該試験パケットを試験パケット送信部３へ送るか、または受信パケット比較部８へ送るか、または受信パケット廃棄１２へ送るかを決定する手段と、受信パケットの正常性をチェックする手段を持つ試験パケット受信部４と、前記試験パケット送信部３が生成する試験パケットにより、実際の過負荷動作試験の対象となる被試験装置１とから構成し、回線１４上の前記被試験装置１の過負荷試験を行う際に、前記上記試験パケット送信部３は、試験パケットを複数生成し、回線１４上へ連続送信し続ける手段と、前記試験パケット受信部４で受信した試験パケットの行先を高速で判断し、負荷の程度を制御し、回線１４の任意の負荷状態を生成する手段が、本発明を実施する上で必要な手段となる。尚、全図を通じて同じ符号は同じ対象物を示している。
【００１６】
以下図１〜図９により、本発明を説明する。
【００１７】
図１は、本発明の回線負荷データ発生装置の試験構成例を示している。本発明の回線負荷データ発生装置の試験構成は、図１に示されるように幾つかのブロックから構成されている。
【００１８】
第１は、回線１４に送信するための試験パケットを作成する送信パケット生成部５と、前記送信パケット生成部５がヘッダ部とデータ部を組合せて作成した試験パケットを格納するための送信パケットバッファ６と、前記送信パケットバッファ６内に格納された試験パケットを格納された順に送信する手段と、前記送信パケット生成部５が作成した試験パケットを直接送信する手段と、試験パケット受信部４から要求された試験パケットを送信する手段を有するパケット送信部７とを含む試験パケット送信部３。
【００１９】
第２は、受信した試験パケットの正常性を確認するための受信パケット比較部８と、前記受信パケット比較部８が正常性を確認するための試験パケットを格納した受信パケットバッファ９と、主制御部２からアクセスする事が出来、受信した試験パケットの行先などの情報をテーブル化したデータを保持するパケット中継情報バッファ１１と、回線１４から受信した試験パケットを前記パケット中継情報バッファ１１内の情報を元に、再度回線へ送信するために試験パケット送信部３へ転送するか、前記受信パケットバッファ９へ転送するか、廃棄するために受信パケット廃棄１２へ送るかを判定する、パケット中継部１０とを含む試験パケット受信部４。
【００２０】
第３は、上記負荷データ発生装置が送信する試験パケットにより負荷試験動作の対象となる被試験装置１である。
【００２１】
主制御部２は、端末装置１３からの指示を受け、試験準備を実施する。送信パケット生成部５は、ヘッダ部とデータ部を組合せた試験パケットを作成し、送信パケットバッファ６へ格納する（図３）。格納する試験パケットの数、内容は、端末装置１３からの指示により自由に変更する事ができる。また、受信する試験パケットの制御をするため、パケット中継情報バッファ１１に受信したパケットの行先情報を設定する（図７）。準備が完了すると、主制御部２からパケット送信部７へ送信起動がかけられる。
【００２２】
起動指示された前記パケット送信部７は、前記送信パケットバッファ６内に格納されている試験パケットを、順次回線に送信する。またこれと共に、前記送信パケット生成部５が非同期に試験パケットを作成し回線部に送信を依頼してきた場合や、前記パケット送信部７から送信した試験パケットが回線１４を巡回し、当該試験装置０の試験パケット受信部４で受信され、前記試験パケット受信部４から再度回線１４へ試験パケットを送信するための指示が来た場合、該試験パケットを前記送信パケットバッファ６内にある試験パケットを送信する合間に回線１４へ送信する。
【００２３】
受信側の前記パケット中継部１０は、受信した試験パケットのヘッダ部分と、前記パケット中継情報バッファ１１内に格納されている情報とから、該試験パケットの行先を検索し、回線１４への再送信であればパケット送信部７へ、試験パケットの内容を確認するのであれば受信パケットバッファ９へ、試験パケットを廃棄するのであれば、受信パケット廃棄１２へ振り分ける処理を行う（図８）。
【００２４】
前記の送信手段と受信手段を実施する事により、前記パケット送信部７から回線１４へ送信される試験パケットのデータ量は、回線１４に対する送信開始時点からフルレートで送信する事が可能となり、バースト的な負荷状態を発生させる事が可能となる（図２）。
【００２５】
また、前記主制御部２の指示により、前記送信パケットバッファ６内の試験パケットを前記パケット送信部７により繰返し回線１４へ送信する事により、長時間継続して回線１４へ高負荷を発生させる事も可能となる。
【００２６】
次に、上記試験パケットの送信制御、受信制御を図４、図５、図８の処理フローにより詳説する。
【００２７】
図６に示すように、試験パケット  ６００は、ヘッダ部  ６０１とデータ部  ６０２から構成され、ヘッダ部  ６０１は、宛先アドレスであるＤＡ  ６１０と、送信元アドレスであるＳＡ  ６１１と、識別子  ６１２とからなり、データ部  ６０２は、データＮＯ  ６１３と、テストパターン  ６１４と、データ部  ６１５とから構成されている。本発明は、前記試験パケット  ６００を送信パケット生成部５が試験実施前に送信パケットバッファ６に複数格納しておき、パケット送信部７が次々に該試験パケットを回線１４へ送り出し、受信した前記試験パケットを、パケット中継部１０が高速に行先を振り分ける事により回線上の負荷を制御するものである。
【００２８】
先ずは、試験パケット送信部３の処理について詳説する（図３、図４）。
【００２９】
送信パケット生成部５は、主制御部２の指示により送信パケットバッファ６にヘッダ部とデータ部から成る試験パケットを格納する。前記送信パケットバッファ６には試験パケットを複数格納する事が可能であり、前記送信パケットバッファ６に格納された試験パケットの先頭の位置にリードポインタＲｄ＿ｐ  ３００を割り当て、前記送信パケットバッファ６に格納された最後の試験パケットの位置にライトポインタＷｒ＿ｐ  ３０１を割り当てる。前記主制御部２は、試験パケットが前記送信パケットバッファ６に格納された後、パケット送信部７に対し送信指示を出す。送信指示は、通常の送信指示と、連続で送信する送信指示の２種類を選択する事が出来きる。
【００３０】
通常の送信処理は、図４に示すように、前記リードポインタＲｄ＿ｐ３００が示す試験パケットを送信した後、前記リードポインタＲｄ＿ｐ  ３００を１つだけ更新し次の試験パケットの位置を示すようにする。この処理を繰返し実行し、前記リードポインタＲｄ＿ｐ  ３００と前記ライトポインタＷｒ＿ｐ  ３０１が一致した時点で送信を終了する。
【００３１】
連続で送信する送信指示は、図５に示すように、前記送信パケットバッファ６に試験パケットを複数格納し、格納された試験パケットの先頭位置に前記リードポインタＲｄ＿ｐ  ３００を、最後の試験パケットの位置に前記ライトポインタＷｒ＿ｐ  ３０１を割り当てる。前記主制御部２は、試験パケットが前記送信パケットバッファ６に格納された後、パケット送信部７に対し前記送信パケットバッファ６に格納された試験パケットを連続で送信する送信指示を出す。連続で試験パケットを送信する事を指示された前記パケット送信部７は、リードポインタＲｄ＿ｐ  ３００が示す試験パケットを送信した後、リードポインタＲｄ＿ｐ  ３００を１つだけ更新し次の試験パケットの位置を示すようにする。この処理を繰返し実行し、前記リードポインタＲｄ＿ｐ  ３００と前記ライトポインタＷｒ＿ｐ  ３０１が一致したところで前記リードポインタＲｄ＿ｐ  ３００を最初の試験パケットが格納されていたバッファの位置に戻し、再度前記処理を繰返し実施するものである。この手段により試験パケットを瞬間的にかつ大量に回線１４へ送信する事が可能である。
【００３２】
試験パケットを送信する際に、送信パケットバッファ６内に格納されている試験パケット内の情報値を、主制御部２からの指示で変更する事も可能であり、変更する事により回線１４上に接続される被試験装置１の中継装置の機能試験を実施する事が可能である。
【００３３】
また、当該試験装置０に接続された端末装置１３から、オペレータによりコマンドに入力された指示により、試験パケット送信部３に対し、送信パケット生成部５が作成した試験パケットを送信するか、送信パケットバッファ６に格納された試験パケットを送信するかを指定する事により、パケット送信部７は指示に従い、指示された方の試験パケットのみ送信し試験の条件を変更選択する事が可能である。
【００３４】
上記に示すように、試験パケットを送信パケットバッファ６に複数個格納した状態でパケット送信部７へ起動をかける事により、一度に多量の試験パケットが回線上に送信され、被試験装置１に対し多量の試験パケットが流れ込む事から、被試験装置１に対する瞬間的かつ継続的な過負荷状態での試験を実施する事が可能である。
【００３５】
次に、試験パケット受信部４の処理について詳説する（図８）。
【００３６】
回線１４から試験パケットを受信すると、パケット中継部１０は、該試験パケットからヘッダ部を検出しＤＡ／ＳＡ／識別子を取得する。また、パケット中継情報バッファ１１には、図７に示すようなテーブルが存在し、該テーブル  ７００には受信した試験パケットのヘッダ部に当たる情報（ＤＡ  ７０１／ＳＡ  ７０２／識別子  ７０３）とその情報が一致する試験パケットの行先を設定した行先情報  ７０６が設定されている。前記パケット中継部１０は、前記パケット中継情報バッファ１１内に設定されている前記該テーブル  ７００のある一列の情報と、試験パケットから検出したヘッダ部の情報を比較し、一致した場合は、前記パケット中継情報バッファ１１の該テーブル  ７００の中に設定されている試験パケットの行先情報  ７０６を参照し、該試験パケットをその情報の示す方向へ送信する。ここで、前記パケット中継情報バッファ１１内に存在する、該テーブル７００は、試験装置０に接続された端末装置１３から指示された値を、前記主制御部２を経由し設定／操作できるものとする。
【００３７】
例えは、パケット中継情報バッファ１１の中に設定されているテーブル  ７００のＩＤ＝１の一列には、ＳＡ＝Ａ、ＤＡ＝ＡＡの値が設定され、行先情報に”回線１４”と設定されているものとする。被試験装置から受信した試験パケットのＳＡ／ＤＡの値がＳＡ＝Ａ、ＤＡ＝ＡＡであったとすると、パケット中継部１０は、パケット中継情報バッファ１１の中に設定されているＩＤ＝１の情報と、受信した試験パケットのヘッダ部から検出したＳＡ／ＤＡの値を比較し、同じ値であれば、ＩＤ＝１の情報バッファ内に格納されているＩＤ＝１の行先である回線１４へ該試験パケットを送信する。
【００３８】
また、パケット中継情報バッファ１１の中に設定されているテーブル  ７００のＩＤ＝２の情報には、ＳＡ＝Ｂ、ＤＡ＝ＢＢが設定され、行先情報に”受信パケット比較部８”と設定されているものとする。被試験装置から受信した試験パケットのヘッダ部に設定されているＳＡ／ＤＡの値がＳＡ＝Ｂ、ＤＡ＝ＢＢであったとすると、パケット中継部１０は、パケット中継情報バッファ１１の中に設定されているＩＤ＝２の情報と、上記ＳＡ／ＤＡを比較し、同じ値であれるため、ＩＤ＝２の情報バッファ内に格納されているＩＤ＝２の行先である受信パケット比較部８へ該試験パケットをを送信するため、受信パケットバッファ９に該試験パケットを格納する。
【００３９】
前述の様に試験パケット受信部４は、発信元アドレスＳＡや、送信先アドレスＤＡの値を検索として使用したが、試験パケット内のヘッダにある識別子６１２や、データ部にあるデータＮＯ６１３、テストバターン６１４などを検索の対象に使用しても良い事は言うまでもない。
【００４０】
また、前述の様に、試験パケット受信部４は、主制御部２の指示により、回線１４から受信した試験パケットをパケット送信部７に送信したり、受信パケット比較処理８に送信する判定を行っているが、主制御部２の行先指定に、回線への送信でも受信パケット比較処理でもなく、廃棄処理を指定し受信パケット廃棄１２に該試験パケットを送り、過負荷状態での試験パケット異常系の試験を実施する事も可能である。
【００４１】
また、当該試験装置０に接続された端末装置１３から、オペレータによりコマンドに入力された指示により、試験パケット受信部４の、受信パケットバッファ９内にあるテーブルの設定値を変更し、該当する試験パケットの選択、行先等の変更を実施し、試験パケットの制御、条件を変更し被試験装置の試験を実行する。
【００４２】
このように本発明は、回線上への試験パケット送信手段と、回線からの試験パケットを受信する手段と、試験パケットを中継する手段を備えたＬＡＮ／ＷＡＮ接続装置における回線負荷データ発生装置において、回線上の負荷試験を行うための試験パケットを生成し、生成した試験パケットを送信し続ける、試験パケット送信部と、回線上の試験パケットを受信し、受信した試験パケットを回線に再度送信を行うか、受信パケット比較部へ送り試験パケットの正常性を比較するか、試験パケットを廃棄するかを判定する試験パケット受信部と、上記試験パケット送信部が生成する試験パケットにより実際の負荷動作の試験対象となる被試験装置とから構成し、上記試験パケットの送信や受信で負荷の増殖／抑制、高速で試験パケットを処理する事により、回線の任意の負荷状態を生成するようにしたところに特徴が有る。
【００４３】
【発明の効果】
以上の説明により、本発明の負荷データ発生装置は、試験開始前に試験パケットを貯えるバッファを保持する事や、貯えられた試験パケットの連続送信や、試験パケットの送信入力の選択を持つ事により、被試験装置や回線の性能と同等の性能を持つ試験装置にて、高負荷状態での試験や、高負荷状態でパケット廃棄等を発生させ、その状態において被試験装置や回線の品質試験やデータ化けなどを検出する事ができる利点がある。
【００４４】
また、受信時に、送信した試験パケットの必要なパケットのみを操作指定するための情報を格納する事ができるバッファと、該バッファ内の情報を元に、受信したパケットの行先を簡単に高速で決定できる手段を持つ中継部を有する事により、試験パケットの高速処理が可能になると共に、負荷状態やパケット廃棄状態を発生させ、負荷状態において被試験装置や回線の品質試験、データ化けなどを検出できる効果がある。
【図面の簡単な説明】
【図１】本発明の基本的な構成図。
【図２】本発明と従来発明の回線上の試験パケットの流れを説明する図。
【図３】送信パケットバッファの詳細図。
【図４】通常送信の送信手順の説明図。
【図５】繰返し送信する送信手順の説明図。
【図６】受信パケットバッファ構成図。
【図７】パケット中継情報バッファ構成図。
【図８】試験パケット中継手順の説明図。
【図９】従来技術のの基本的な構成図。
【符号の説明】
０…試験装置、１…被試験装置、２…主制御部、３…試験パケット送信部、４…試験パケット受信部、５…送信パケット生成部、６…送信パケットバッファ、７…パケット送信部、８…受信パケット比較部、９…受信パケットバッファ、１０…パケット中継部、１１…パケット中継情報バッファ、１２…受信パケット廃棄、１３…端末装置、１４…回線、Ｒｄ＿ｐ…リードポインタ、Ｗｒ＿ｐ…ライトポインタ、Ｗｋ＿ｐ…ワークポインタ、ｙ…Ｙｅｓ、ｎ…Ｎｏ、ｔ…経過時間。
【図１】
2004180186.tif 000003
【図２】
2004180186.tif 000004
【図３】
2004180186.tif 000005
【図４】
2004180186.tif 000006
【図５】
2004180186.tif 000007
【図６】
2004180186.tif 000008
【図７】
2004180186.tif 000009
【図８】
2004180186.tif 000010
【図９】
2004180186.tif 000011